(57)【要約】【課題】積み重ねた状態で保管しても、外見上目立つ変形が生じることがなく、確実に組み立てて封緘できるラップラウンド箱を提供する。【解決手段】一対の側面板２からそれぞれ延びる内フラップ５と、天面板１及び底面板３からそれぞれ延びる外フラップ６とが貼り合わされるラップラウンド箱において、内フラップ５には、先端縁から側面板２との境界へ達しない中間の位置まで切込８が入れられ、この切込８は、天面板１から延びる上方の外フラップ６の内フラップ５への接着部Ｇと、底面板３から延びる下方の外フラップ６の内フラップ５への接着部Ｇの間に位置するものとする。積み重ねにより大きな荷重が作用した場合、内フラップ５の切込８に臨む部分が変形し、高さ方向の歪みが吸収され、外フラップ６の変形が抑制される。【選択図】図３
2017214132.tif 000002
【特許請求の範囲】
【請求項１】
天面板(1)、一対の側面板(2)及び底面板(3)が連設され、折り曲げられて物品を包み込み、一対の側面板(2)からそれぞれ延びる内フラップ(5)と、天面板(1)及び底面板(3)からそれぞれ延びる外フラップ(6)とが貼り合わされて、端面で封緘される厚紙製のラップラウンド箱において、
前記内フラップ(5)には、先端縁から側面板(2)との境界へ達しない中間の位置まで切込(8)が入れられ、前記切込(8)は、天面板(1)から延びる上方の外フラップ(6)の内フラップ(5)への接着部(G)と、底面板(3)から延びる下方の外フラップ(6)の内フラップ(5)への接着部(G)の間に位置するようになっていることを特徴とするラップラウンド箱。
【請求項２】
前記切込(8)は、内フラップ(5)の先端縁から途中までの部分が斜め上方へ傾斜した斜向部(8a)とされ、これに続く部分が斜向部(8a)から曲がって向きが変わった変向部(8b)とされていることを特徴とする請求項１に記載のラップラウンド箱。
【請求項３】
前記切込(8)は、幅のない線状又は上下方向に幅を持った切抜溝であることを特徴とする請求項１に記載のラップラウンド箱。
【請求項４】
前記内フラップ(5)と側面板(2)の境界の罫線(7)は、内フラップ(5)から側面板(2)へ膨出した凸状となっていることを特徴とする請求項１乃至３のいずれか１項に記載のラップラウンド箱。
【発明の詳細な説明】
【技術分野】
【０００１】
この発明は、物品を包み込むように包装する段ボール、板紙等の厚紙製のラップラウンド箱に関するものである。
【背景技術】
【０００２】
各種商品の輸送用包装に使用される段ボール製のラップラウンド箱として、下記特許文献１には、図８に示すようなものが記載されている。
【０００３】
このラップラウンド箱は、段ボールシートが商品を包み込んで天面、一対の側面及び底面を形成するように折り曲げられ、一対の側面からそれぞれ延びる内フラップ５１と、天面及び底面からそれぞれ延びる外フラップ５２とが接着部Ｇで貼り合わされて、端面で封緘されるものである。
【０００４】
このラップランド箱では、天面及び底面からそれぞれ延びる外フラップ５２に、その根元の罫線に沿って圧縮した段潰し加工により幅５〜１５ｍｍの帯状の薄肉部５３が形成され、内フラップ５１の天面側及び底面側の両側端が切り欠かれている。
【０００５】
このようなラップラウンド箱の構成は、積み重ねた状態で大きな荷重が作用した場合、外フラップ５２の薄肉部５３が垂直方向の押圧力により外側へ屈曲し、この部分で端面の変形が吸収されるようにして、外フラップ５２の変形が目立たないようにし、物流業者からのクレームを減少させることを意図したものである。
【先行技術文献】
【特許文献】
【０００６】
【特許文献１】実公平４−１１９２９号公報
【発明の概要】
【発明が解決しようとする課題】
【０００７】
しかしながら、上記のように、外フラップ５２の根元部分に薄肉部５３を設けたラップラウンド箱では、ケーサーで組み立てる際、外フラップ５２が天面及び底面との境界の罫線に沿って正確に折れ曲がらなくなり、組み立てに支障が生じる恐れがある。
【０００８】
また、組立状態での高さが低い場合、接着部Ｇの配置可能領域が狭くなることから、確実な封緘が困難になる恐れがある。
【０００９】
そこで、この発明は、積み重ねた状態で保管しても、外見上目立つ変形が生じることがなく、確実に組み立てて封緘できるラップラウンド箱を提供しようとするものである。
【課題を解決するための手段】
【００１０】
上記課題を解決するため、この発明は、天面板、一対の側面板及び底面板が連設され、折り曲げられて物品を包み込み、一対の側面板からそれぞれ延びる内フラップと、天面板及び底面板からそれぞれ延びる外フラップとが貼り合わされて、端面で封緘される厚紙製のラップラウンド箱において、
前記内フラップには、先端縁から側面板との境界へ達しない中間の位置まで切込が入れられ、前記切込は、天面板から延びる上方の外フラップの内フラップへの接着部と、底面板から延びる下方の外フラップの内フラップへの接着部の間に位置するようになっているものとしたのである。
【００１１】
また、前記切込は、内フラップの先端縁から途中までの部分が斜め上方へ傾斜した斜向部とされ、これに続く部分が斜向部から曲がって向きが変わった変向部とされているものとしたのである。
【００１２】
そして、前記切込は、幅のない線状又は上下方向に幅を持った切抜溝としたのである。
【００１３】
さらに、前記内フラップと側面板の境界の罫線は、内フラップから側面板へ膨出した凸状となっているものとしたのである。
【発明の効果】
【００１４】
この発明に係るラップラウンド箱では、内フラップの先端側中間部の外フラップと接着しない領域に切込を入れているので、組立性や封緘性が低下することがない。
【００１５】
そして、物品を包装した状態での倉庫保管等において、積み重ねにより大きな荷重が作用した場合、内フラップの切込に臨む部分が変形し、高さ方向の歪みが吸収されるので、外フラップの変形が抑制され、物流業者からのクレームの減少が期待できる。
【００１６】
また、内フラップと側面板の境界の罫線を、内フラップから側面板へ膨出した凸状とすると、内フラップが内側へ反るように湾曲して、積み重ねによる圧縮力が内フラップの先端側に誘導されるので、内フラップの切込に臨む部分に変形を集中させることができ、外フラップの変形抑制の作用が確実に得られる。
【図面の簡単な説明】
【００１７】
【図１】この発明の実施形態に係るラップラウンド箱のブランクを示す図
【図２】同上の内フラップの拡大図
【図３】同上の包装状態を示す斜視図
【図４】同上の包装状態を示す端面図
【図５】同上の積み重ね状態を示す斜視図
【図６】同上の内フラップの変形状態を示す拡大斜視図
【図７】同上の切込の他の形態を示す拡大端面図
【図８】特許文献１に記載のラップラウンド箱の積み重ね状態を示す斜視図
【発明を実施するための形態】
【００１８】
以下、この発明の実施形態を添付図面に基づいて説明する。このラップラウンド箱は、図１に示すような段ボールのブランクから図３及び図４に示す形状に組み立てられるものであり、レトルト食品のような商品の輸送用包装に使用される。
【００１９】
図１に示すブランクでは、天面板１、一方の側面板２、底面板３及び他方の側面板２が段ボールの段目方向に順次連設され、天面板１の外側端に継代片４が連設されている。一対の側面板２の両端には内フラップ５が、天面板１及び底面板３の両端には外フラップ６がそれぞれ連設されている。
【００２０】
天面板１と継代片４の境界には、押罫による罫線に加えて、折曲抵抗を軽減しつつ折り曲げの戻りを防止するため、両端部が曲がった切目４ａが入れられ、天面板１から延びる外フラップ６には、開封用として円弧状の切目線６ａが入れられている。
【００２１】
内フラップ５と一対の側面板２の境界の罫線７は、内フラップ５から側面板２へ膨出した凸状の円弧となっている。そして、これに伴う折曲抵抗の増大を軽減するため、罫線７は、押罫と切目が交互に断続するリード罫とされている。
【００２２】
内フラップ５には、図２に示すように、先端縁から側面板２との境界の罫線７へ達しない中間の位置まで、線状の切込８が入れられている。
【００２３】
切込８の内フラップ５の先端縁から途中までの部分は、内フラップ５の延出方向に対して傾斜した斜向部８ａとされ、これに続く部分は、斜向部８ａから曲がって向きが変わった変向部８ｂとされている。斜向部８ａの傾斜方向及び変向部８ｂの向かう方向は、包装状態での上方とされている。
【００２４】
さらに、切込８について詳述すると、内フラップ５の根元の両端を結ぶ線から先端縁までの長さＡに対して、切込８の長さＢは、１／３〜２／３の範囲内に収まるものとされている。また、内フラップ５の幅方向における切込８の斜向部８ａの変位Ｃと変向部８ｂの変位Ｄは、それぞれ切込８の長さＢの１／４程度とされている。
【００２５】
上記のようなブランクをケーサーにより図３に示す形状に組み立てて、レトルト食品のような商品を包装する際には、商品を載せた底面板３から一対の側面板２を起立させ、一方の側面板２から天面板１を商品に被せるように水平方向に折り曲げ、継代片４を下方へ折り曲げて他方の側面板２に貼り付ける。
【００２６】
次に、一対の側面板２からそれぞれ延びる内フラップ５と、天面板１及び底面板３からそれぞれ延びる外フラップ６とを、線状に噴射塗布されるホットメルト接着剤により接着部Ｇで貼り合わせて、端面で封緘する。
【００２７】
この包装状態では、図３及び図４に示すように、内フラップ５の切込８は、天面板１から延びる上方の外フラップ６の内フラップ５への接着部Ｇと、底面板３から延びる下方の外フラップ６の内フラップ５への接着部Ｇの間に位置するようになっている。
【００２８】
また、上下の対向する外フラップ６の先端縁間は、僅かに隙間が開いた状態となり、その隙間から切込８の中間部が露出し、切込８の他の部分は外フラップ６の裏側に隠れるようになっている。
【００２９】
上記のようなラップラウンド箱では、外フラップ６の根元部分に段潰し加工を施していないので、組み立てに際し、外フラップ６の折曲位置が不正確になることがなく、所定の直方体に確実に組み立てることができる。また、内フラップ５の先端側中間部の外フラップ６と接着しない領域に切込８を入れているので、ラップラウンド箱の高さが低くても、接着部Ｇの配置可能領域が狭くなることがなく、封緘性が低下することがない。
【００３０】
そして、商品を包装した状態での倉庫保管等において、図５及び図６に示すように、積み重ねることにより、大きな荷重が作用した場合、内フラップ５の切込８に上下から臨む部分が前後に落ち込んで重なるように変形し、高さ方向の歪みが吸収されるので、外フラップ６の変形が抑制され、物流業者からのクレームの減少が期待できる。
【００３１】
また、内フラップ５と側面板２の境界の罫線７を内フラップ５から側面板２へ膨出した凸状としているので、内フラップ５が内側へ反るように湾曲して、積み重ねによる圧縮力が内フラップ５の先端側に誘導され、内フラップ５の切込８に臨む部分に変形が集中し、外フラップ６の変形抑制の作用が確実に得られる。
【００３２】
また、包装状態で上方及び下方の外フラップ６が内フラップ５と共に内側へ反るので、積み重ねによる大きな荷重が作用した場合でも、外フラップ６が外側へ迫り出すように膨らむ現象が抑制され、外見上の美観が維持される。
【００３３】
このとき、内フラップ５においては、切込８の斜向部８ａが先端から斜め上方へ傾斜しているので、切込８に臨む部分が突っ張って変形が阻害されることがない。また、切込８は、斜向部８ａから変向部８ｂの向きが変わった形状となっているので、包装する商品が多数個集積されたレトルト食品のように重量のあるものであっても、内フラップ５が切込８から破れて、その破断が拡大する現象が防止される。
【００３４】
なお、上記実施形態では、切込８の斜向部８ａと変向部８ｂが基本的に直線から成り、変向部８ｂが包装状態で垂直上方へ向かうものを例示したが、斜向部８ａ及び変向部８ｂは、それぞれ直線に限らず、弧状の曲線であってもよく、変向部８ｂは、包装状態で下方へ向かうものとしてもよい。
【００３５】
また、切込８が幅のない線状のものを例示したが、切込８は、図７に示すように、上下方向に幅を持った切抜溝としてもよい。
【００３６】
さらに、切込８の中間部のみが上下の対向する外フラップ６の先端縁間の隙間から露出し、他の部分が外フラップ６の裏側に隠れたものを例示したが、上下の対向する外フラップ６の先端縁間に隙間がない形状として、切込８が全体的に外フラップ６の裏側に隠れるようにしてもよい。或いは、上下の対向する外フラップ６が短く、その先端縁間に大きな隙間が開く形状として、切込８が全体的に露出するようにしてもよい。
【００３７】
そのほか、内フラップ５と側面板２の境界の罫線７が全体的に円弧をなすように湾曲したものを例示したが、罫線７は、両端部のみが湾曲し、中間部が垂直方向の直線から成るものとしてもよく、両端部が傾斜した直線から成り、中間部が垂直方向の直線から成るものとしてもよい。
【００３８】
ところで、上記実施形態では、材料が段ボールであるラップラウンド箱を例示したが、板紙製のものについても、上記と同様の構成を適用することができる。
【符号の説明】
【００３９】
１  天面板
２  側面板
３  底面板
４  継代片
４ａ  切目
５  内フラップ
６  外フラップ
６ａ  切目線
７  罫線
８  切込
８ａ  斜向部
８ｂ  変向部
Ｇ  接着部
【図１】
2017214132.tif 000003
【図２】
2017214132.tif 000004
【図３】
2017214132.tif 000005
【図４】
2017214132.tif 000006
【図５】
2017214132.tif 000007
【図６】
2017214132.tif 000008
【図７】
2017214132.tif 000009
【図８】
2017214132.tif 000010